(57)【特許請求の範囲】
【請求項１】
壁面に密着して固定される複数の手摺り部材と、前記複数の手摺り部材とは異なる別の部材で構成され、かつ、前記複数の手摺り部材の隣り合う端部の間に配置される、架橋部材とを有する、連続手摺りにおいて、前記手摺り部材は、前記壁面に当接する支持面を有し、前記手摺り部材は、更に、前記支持面を前記壁面に当接させたとき、上方に向かって滑らかに湾曲し、かつ、全体として前記壁面から離隔する方向に突出した外形を有する、把持部と、前記把持部の上縁部に形成された巻回部と、前記巻回部に連続する凹状湾曲面とを有し、前記凹状湾曲面は、前記支持面を前記壁面に当接させたとき、前記把持部と前記壁面の間に位置し、前記巻回部は、前記支持面を前記壁面に当接させたとき、前記支持面の上方で前記壁面に対向するように、前記把持部の前記上縁部で前記凹状湾曲面に向かって巻回し、前記架橋部材は、前記複数の手摺り部材の隣り合う端部の間に配置されたとき、前記架橋部材の両側の一対の手摺り部材のうちの一方の手摺り部材の前記把持部と前記巻回部を、他方の手摺り部材の前記把持部と前記巻回部とに、それぞれ、滑らかに連結すると共に、前記一対の手摺り部材の前記凹状湾曲面の間に開口部を形成するように、前記壁面との間に空間部を画成することを特徴とする、連続手摺り。
【請求項２】
請求項１に記載された連続手摺りにおいて、前記手摺り部材は、前記支持面を有し、かつ、前記支持面を前記壁面に当接させて前記壁面に固定される、ブラケットと、前記把持部と前記巻回部と前記凹状湾曲面とを有し、かつ、前記ブラケットに取り付けられる、手摺り本体とを有し、前記ブラケットを前記壁面に固定し、かつ、前記手摺り本体を前記ブラケットに取り付けたとき、前記巻回部と前記凹状湾曲面は、前記支持面の上方で前記壁面に対向し、かつ、前記壁面に沿って延在することを特徴とする、前記連続手摺り。
【請求項３】
請求項１又は２に記載された連続手摺りにおいて、前記連続手摺りは、前記手摺り部材と前記架橋部材の間に介装されるジョイント部材を有し、前記ジョイント部材は、前記手摺り部材の前記端部を覆うカバー部と、前記架橋部材の端部に嵌合するジョイント部とを有することを特徴とする、前記連続手摺り。
【請求項４】
請求項１乃至３のうちのいずれか一項に記載された連続手摺りにおいて、前記一対の手摺り部材が前記壁面の同一の面に固定されるとき、前記架橋部材が前記一対の手摺り部材の前記隣り合う端部を連結することができるように、前記架橋部材は全体として直線状に延在することを特徴とする、前記連続手摺り。
【請求項５】
請求項１乃至３のうちのいずれか一項に記載された連続手摺りにおいて、前記一対の手摺り部材が、前記壁面の互いに角度を成して延在する一対の面にそれぞれ固定されるとき、前記架橋部材が前記一対の手摺り部材の前記隣り合う端部を連結することができるように、前記架橋部材の中間部に湾曲部を形成したことを特徴とする、前記連続手摺り。
【発明の詳細な説明】
【技術分野】
【０００１】
本発明は、壁面の窓や開口部等の不連続部や、出隅又は入隅等のコーナー部を跨いで連続する、連続手摺りに関するものである。
【背景技術】
【０００２】
従来、利用者の伝い歩きを容易にし、又、利用者が利用者自身の身体を支持するのを補助するために、建築物の廊下等の壁面に連続手摺りが取り付けられている。このような連続手摺りのうち、特に、廊下等の壁面に固定される連続手摺りには、廊下等の歩行空間内への突出量を小さくして、廊下等の歩行空間を減少させないように、壁面に密着するように構成されたものがある。
【０００３】
特開平０５−２３０９６４号公報は、壁面に密着する平面と、壁面との間に手を挿入するための長手方向の溝を形成する溝面と、手を掛けるための長手方向の隆起部を形成する膨出面を有する、長尺の手摺り部材を開示する。この手摺り部材は、その平面を壁面に密着させ、接着剤や釘等を用いて壁面に直付けされる。このような構成の手摺り部材は、手摺り部材の全長にわたって、手摺り部材の平面を壁面に密着させる必要があるから、壁面の手摺り部材の取付部位に窓等の開口部や収納ボックス等の突起物が存在すると、連続手摺りを施工することができない。また、このような構成の手摺り部材は、壁面に密着して取り付けられるから、手摺り部材の上面に塵埃が溜まり易い。このような構成の手摺り部材を連続させて連続手摺りを施工したとき、手摺り部材の上面に溜まった塵埃を拭き取るには、作業者は、連続手摺りの一端から他端まで連続的に移動しなければならない。したがって、連続手摺りが長尺であるときには、作業者に大きな負担をかける虞がある。更に、このような構成の手摺り部材によって、出隅又は入隅を有する壁面に連続手摺りを施工するには、出隅又は入隅を挟んでその両側に固定された手摺り部材を連続させるために、その壁面に専用の接続部材を使用せざるを得ない。
【０００４】
例えば、特開２００１−３２３６２３号公報は、廊下壁面に固定された笠木受けと、この笠木受けに嵌着された笠木とを有する、手摺本体と、手摺端部処理部品とを、アタッチメントを介して連結することにより、出隅又は入隅を有する壁面に連続手摺りを施工することができる、手摺及び手摺端部処理ユニットを開示する。これにより、壁面の出隅又は入隅で、一種類の手摺端部処理部品を使用して一対の手摺本体を連結することが可能になる。しかし、出隅又は入隅を挟んでその両側に位置する壁面は、壁面の施工誤差等により、種々の角度で交差するから、壁面の出隅又は入隅で一対の手摺本体を滑らかに連結するには、壁面の個々の施工誤差等を手摺処理部品で吸収することができるように、出隅又は入隅毎に、施工現場で手摺端部処理部品に加工を施す必要がある。
【先行技術文献】
【特許文献】
【０００５】
【特許文献１】特開平０５−２３０９６４号公報
【特許文献２】特開２００１−３２３６２３号公報
【発明の概要】
【発明が解決しようとする課題】
【０００６】
本発明の目的は、壁面からの突出量を小さくすることが可能であり、壁面の窓や開口部等の不連続部や出隅又は入隅等のコーナー部を跨いで連続させることができる、連続手摺りを提供することにある。
【０００７】
本発明の他の目的は、壁面の出隅や入隅等のコーナー部で手摺り部材を連結するとき、壁面の施工誤差を吸収することにより、施工を容易にすることができる、連続手摺りを提供することにある。
【０００８】
本発明の更に他の目的は、壁面に密着して取り付けられる手摺り部材を有する連続手摺りにおいて、手摺りの上面に蓄積される塵埃を容易に清掃することができる、連続手摺りを提供することにある。
【課題を解決するための手段】
【０００９】
前述の目的を達成するため、本発明の連続手摺りは、壁面に密着して固定される複数の手摺り部材と、前記複数の手摺り部材とは異なる別の部材で構成され、かつ、前記複数の手摺り部材の隣り合う端部の間に配置される、架橋部材とを有する、連続手摺りにおいて、前記手摺り部材は、前記壁面に当接する支持面を有し、前記手摺り部材は、更に、前記支持面を前記壁面に当接させたとき、上方に向かって滑らかに湾曲し、かつ、全体として前記壁面から離隔する方向に突出した外形を有する、把持部と、前記把持部の上縁部に形成された巻回部と、前記巻回部に連続する凹状湾曲面とを有し、前記凹状湾曲面は、前記支持面を前記壁面に当接させたとき、前記把持部と前記壁面の間に位置し、前記巻回部は、前記支持面を前記壁面に当接させたとき、前記支持面の上方で前記壁面に対向するように、前記把持部の前記上縁部で前記凹状湾曲面に向かって巻回し、前記架橋部材は、前記複数の手摺り部材の隣り合う端部の間に配置されたとき、前記架橋部材の両側の一対の手摺り部材のうちの一方の手摺り部材の前記把持部と前記巻回部を、他方の手摺り部材の前記把持部と前記巻回部とに、それぞれ、滑らかに連結すると共に、前記一対の手摺り部材の前記凹状湾曲面の間に開口部を形成するように、前記壁面との間に空間部を画成することを特徴とする。
【００１０】
本発明の連続手摺りは、また、前記手摺り部材は、前記支持面を有し、かつ、前記支持面を前記壁面に当接させて前記壁面に固定される、ブラケットと、前記把持部と前記巻回部と前記凹状湾曲面とを有し、かつ、前記ブラケットに取り付けられる、手摺り本体とを有し、前記ブラケットを前記壁面に固定し、かつ、前記手摺り本体を前記ブラケットに取り付けたとき、前記巻回部と前記凹状湾曲面は、前記支持面の上方で前記壁面に対向し、かつ、前記壁面に沿って延在することを特徴とする。
【００１１】
本発明の連続手摺りは、更に、前記手摺り部材と前記架橋部材の間に介装されるジョイント部材を有し、前記ジョイント部材は、前記手摺り部材の前記端部を覆うカバー部と、前記架橋部材の端部に嵌合するジョイント部とを有することを特徴とする。
【００１２】
本発明の連続手摺りは、更に、前記一対の手摺り部材が前記壁面の同一の面に固定されるとき、前記架橋部材が前記一対の手摺り部材の前記隣り合う端部を連結することができるように、前記架橋部材が全体として直線状に延在することを特徴とする。
【００１３】
本発明の連続手摺りは、更に、前記一対の手摺り部材が、前記壁面の互いに角度を成して延在する一対の面にそれぞれ固定されるとき、前記架橋部材が前記一対の手摺り部材の前記隣り合う端部を連結することができるように、前記架橋部材の中間部に湾曲部を形成したことを特徴とする。
【発明の効果】
【００１４】
本発明の連続手摺りによれば、連続手摺りを構成する手摺り部材が壁面に当接する支持面を介して壁面に固定されるから、壁面に対する取付強度を十分に高めることができると共に、壁面からの突出量を小さくすることができる。また、手摺り部材の把持部の外部形状と略同一の外部形状を有し、かつ、壁面の窓や開口部等の不連続部や出隅又は入隅等のコーナー部を跨いで延在する、架橋部材によって、壁面に密着して固定された一方の手摺り部材の把持部及び巻回部と他方の手摺り部材の把持部及び巻回部を滑らかに連結することができるから、壁面の不連続部やコーナー部を超えて連続する連続手摺りを提供することができる。更に、架橋部材によって一対の手摺り部材の把持部及び巻回部を連結すると、一対の手摺り部材の隣り合う端部と架橋部材と壁面との間に開口部が形成されるから、連続手摺りの上面に蓄積した塵埃をこの開口部から掃き出すことができる。換言すると、本発明の連続手摺りによれば、手摺りの把持部及び巻回部は、手摺り部材が固定された壁面の連続部のみならず、架橋部材が配置された壁面の不連続部やコーナー部においても一様に連続するが、壁面の不連続部やコーナー部においては、手摺りの凹状湾曲面と壁面との間に開口部が形成され、この開口部から塵埃を掃き出すことができるのである。
【００１５】
本発明の連続手摺りを構成する手摺り部材は、支持面を有するブラケット、即ち、笠木受けと、このブラケットに取り付けられる手摺り本体、即ち、笠木とによって構成することができる。ブラケット及び手摺り本体は、合成樹脂の成形品やアルミニウム合金の押し出し形材によって構成することができる。手摺り本体をアルミニウム合金の押し出し形材によって構成する場合には、その表面を感触の良い樹脂皮膜で被覆することができる。手摺り部材をブラケットと手摺り本体とで構成することにより、連続手摺りの施工に際し、先ず、壁面にブラケットを固定し、次いで、このブラケットに手摺り本体を固定することができる。よって、連続手摺りの施工を容易にすることができる。また、ブラケットは、その支持面を壁面に当接させて強固に固定され得る。そして、手摺り本体をブラケットに取り付けると、手摺り本体に形成された把持部は、ブラケットの支持面の上方で壁面に対向し、かつ、壁面に沿って延在する。
【００１６】
本発明の連続手摺りの手摺り部材と架橋部材の間にジョイント部材を介装し、このジョイント部材によって手摺り部材の端部と架橋部材の端部の加工誤差を吸収することができる。即ち、手摺り部材の端部と架橋部材の端部が正確に切断されていない場合にも、ジョイント部材に、手摺り部材の端部を覆うカバー部と、架橋部材の端部に嵌合するジョイント部とを形成し、これらのカバー部とジョイント部の変形により、手摺り部材の端部と架橋部材の端部の加工誤差を吸収することができる。これにより、連続手摺りの安全性を向上させることができると共に、その施工を容易にすることができる。ジョイント部材は、ＡＳＡ等の合成樹脂で作ることができる。
【００１７】
本発明の連続手摺りの架橋部材は、全体として直線状に形成することができる。また、この架橋部材の中間部に湾曲部を形成することもできる。直線状の延在する架橋部材は、一対の手摺り部材が壁面の同一の面に固定されるとき、これらの手摺り部材の隣り合う端部を連結するために使用することができる。中間部に湾曲部が形成された架橋部材は、一対の手摺り部材が、壁面の互いに角度を成して延在する一対の面にそれぞれ固定されるとき、これらの手摺り部材の隣り合う端部を連結するために使用することができる。
【００１８】
本発明のその他の特徴及び作用効果は、図面を参照してなされる以下の記述から明らかになる。
【図面の簡単な説明】
【００１９】
【図１】図１は、本発明の連続手摺りの施工例を示す斜視図である。
【図２】図２は、本発明の連続手摺りの手摺り部材の分解斜視図である。
【図３】図３は、図１のIIIで示す部分の分解斜視図である。
【図４】図４は、図１のIVで示す部分の一部分解斜視図である。
【図５】図５は、図１のＶで示す部分の分解斜視図である。
【実施例１】
【００２０】
図１に示すように、連続手摺り１は廊下２に面した壁面３、８、１０に設置されている。壁面３には、窓枠４、５で囲われた窓６が形成され、連続手摺り１は窓６を跨いで連続する。壁面３は出隅７を介して壁面８に連続し、壁面８は入隅９を介して壁面１０に連続している。連続手摺り１は出隅７と入隅９を跨いで連続している。壁面３、８、１０の下部には腰板１１が張設されている。
【００２１】
連続手摺り１を構成する手摺り部材１２は、図１に示すように、壁面３、８、１０に密着して固定されている。手摺り部材１２が固定される箇所は、窓６等の開口部や出隅７及び入隅９等のコーナー部が存在しない、平坦な連続面である。手摺り部材１２は、図２に示すように、壁面３、８、１０の平坦な連続面に固定されるブラケット１３と、ブラケット１３に取り付けられる手摺り本体１４とを有する。ブラケット１３と手摺り本体１４は、アルミニウム合金の押し出し形材や合成樹脂成形品によって構成することができる。手摺り本体１４をアルミニウム合金の押し出し形材によって構成する場合には、押し出し形材の表面を手触りの良い合成樹脂皮膜で被覆することができる。
【００２２】
ブラケット１３は、壁面３、８、１０の平坦な連続面に密着する支持面１５を有する。支持面１５の下縁部には、腰板１１の上縁部が挿入される段部１６が形成される。段部１６は、ブラケット１３の長手方向に延在する。ブラケット１３の天井部には係合溝１７が形成され、また、ブラケット１３の中途部には平坦な突片部１８が形成されている。係合溝１７と突片部１８は、ブラケット１３の長手方向に延在する。ブラケット１３の軽量化を図るため、ブラケット１３の内部には空洞部１９、２０が形成されている。ブラケット１３は、壁面３、８、１０の平坦な連続面に支持面１５を密着させ、タッピングビス２１、２２によって、壁面３、８、１０に固定される。
【００２３】
図２乃至５に示すように、手摺り本体１４は、上方に向かって滑らかに湾曲し、かつ、壁面３、８、１０から離隔する方向に突出した外形を有する、把持部２３と、把持部２３の上縁部に形成された巻回部２４と、巻回部２４に連続する凹状湾曲面２５とを有する。すなわち、把持部２３は、壁面３、８、１０から離隔する方向に突出する凸状湾曲面を成す。これに対し、凹状湾曲面２５は、把持部２３と壁面３、８、１０の間に位置するように、巻回部２４に連続する。そして、巻回部２４は、把持部２３の上縁部で凹状湾曲面２５の側に巻回し、手摺りの利用者が手摺り本体１４を握り易いように、壁面３，８，１０の方向に突出する。把持部２３、巻回部２４及び凹状湾曲面２５は、手摺り本体１４の長手方向に連続的に伸びる。手摺り本体１４の下面には、平坦な載置面２６と、全体として直方体形状の突条２７が形成されている。載置面２６と突条２７は、手摺り本体１４の長手方向に延在する。手摺り本体１４は、突条２７をブラケット１３の係合溝１７に嵌合させ、載置面２６をブラケット１３の突片部１８の上面に載置されて、タッピングビス２８、２９によってブラケット１３に固定される。これにより、手摺り本体１４の凹状湾曲面２５の縁部３０は壁面３、８、１０に当接し、凹状湾曲面２５と壁面３、８、１０との間に空隙は生じない。なお、手摺り本体１４の軽量化を図るため、手摺り本体１４の内部には空洞部３１、３２、３３、３４が形成されている。
【００２４】
図１に示すように、壁面３の窓６を挟んでその両側に固定された一対の手摺り部材１２は、窓６を跨いで伸びる架橋部材３５によって連結されている。手摺り部材１２と架橋部材３５との連結部のうち、図１のIIIで示される連結部を図３に示す。架橋部材３５は、図１に示すように、窓６を跨いで直線状に延在する。架橋部材３５の横断面形状は、図３に示すように、手摺り本体１４の外形状のうち、上方に向かって滑らかに湾曲した外形を有する把持部２３と、把持部２３の先端部に形成された巻回部２４とからなる部位の外形と略同一の外形を有する。すなわち、架橋部材３５は、手摺り本体１４の把持部２３に対応するように、上方に向かって滑らかに湾曲した外形を有する把持部３６と、把持部２３の先端部に形成された巻回部２４に対応するように、把持部３６の先端部に形成された巻回部３７とを有する。架橋部材３５は、アルミニウム合金の押し出し形材や合成樹脂成形品によって構成することができる。架橋部材３５をアルミニウム合金の押し出し形材によって構成する場合には、押し出し形材の表面を手触りの良い合成樹脂皮膜で被覆することができる。架橋部材３５の軽量化を図るため、架橋部材３５の内部には空洞部３８、３９が形成されている。
【００２５】
図３に示すように、手摺り部材１２と架橋部材３５の間にはジョイント部材４０が介装される。ジョイント部材４０はＡＳＡ等の合成樹脂で形成され、全体として手摺り部材１２の横断面形状と略同一の外形状を有する。すなわち、ジョイント部材４０の形状は、ブラケット１３と、ブラケット１３に固定された手摺り本体１４からなる手摺り部材１２の端部４１を覆う形状である。図３に示すように、ジョイント部材４０の架橋部材３５側の面には、架橋部材３５の空洞部３８に嵌合する直方体形の係合突起４２と、架橋部材３５の空洞部３９に嵌合する円筒形の係合突起４３が形成されている。他方、ジョイント部材４０の手摺り部材１２側の面には、図４に示すように、手摺り本体１４の空洞部３２に嵌合する直方体形の係合突起４４と、手摺り本体１４の空洞部３４に嵌合する中空の方形断面を有する係合突起４５が形成されている。そして、ジョイント部材４０の手摺り本体１４側の面は、図４に示すように、ジョイント部材４０の外周部４０ａの肉厚がジョイント部材４０の内方部４０ｂの肉厚よりも大きく形成されている。これにより、手摺り部材１２と架橋部材３５をジョイント部材４０を介して連結したとき、ジョイント部材４０が架橋部材３５で押圧される結果、ジョイント部材４０の手摺り部材１２側の面の外周部４０ａが拡開し、ブラケット１３と、ブラケット１３に固定された手摺り本体１４からなる手摺り部材１２の端部４１を十分に覆うことができる。したがって、手摺り部材１２の端部４１の形状に寸法誤差があっても、この寸法誤差はブラケット１３の変形によって吸収される。ジョイント部材４０の肉厚は、その外周部４０ａから内方部４０ｂに向かって除々に減少するテーパ状に形成することもできる。なお、ジョイント部材４０の架橋部材３５側の面は平坦な面によって構成されているが、架橋部材３５の端部４６の面積は、手摺り部材１２の端部４１の面積よりも小さいので、架橋部材３５の端部４６はジョイント部材４０の平坦な面によっても十分に密封される。図１のIIIによって示される手摺り部材１２と架橋部材３５との連結部は、図３に示すように、ジョイント部材４０を介して、堅固に連結される。これにより、手摺り部材１２の手摺り本体１４に形成された把持部２３は、架橋部材３５の把持部３６に滑らかに連続し、把持部２３の先端に形成された巻回部２４は、把持部３６の先端に形成された巻回部３７に滑らかに連続する。把持部２３の先端に形成された巻回部２４は、把持部２３の一部を構成する。手摺り部材１２と架橋部材３５を連結すると、架橋部材３５と窓６の間には空間部４７が形成され、手摺り本体１４の凹状湾曲面２５は空間部４７で終端する。これにより、凹状湾曲面２５に堆積した塵埃を空間部４７から廃棄することができる。
【００２６】
図１に示すように、壁面８と壁面１０の間の入隅９では、湾曲部４８を有する架橋部材４９によって、入隅９を挟んでその両側に位置する手摺り部材１２、１２が連結される。図１のIVで示される箇所は、図４に分解斜視図として示されている。壁面８に密着して固定された手摺り部材１２と、壁面１０に密着して固定された手摺り部材１２は、湾曲部４８を有する架橋部材４９とジョイント部材４０、５０を介して、互いに連結される。湾曲部４８を有する架橋部材４９は、合成樹脂成形品で構成され、ジョイント部材４０の直方体形の係合突起４２が嵌合する上方溝４９ａと、ジョイント部材４０の円筒形の係合突起４３が嵌合する下方溝４９ｂを有する。ジョイント部材５０は、ジョイント部材４０の鏡面形状を有する。ジョイント部材５０の材質及び機能は、ジョイント部材４０の材質及び機能と同じである。図３に基づいて説明したように、湾曲部４８を有する架橋部材４９とジョイント部材４０、５０を介して、図４に示すように手摺り部材１２、１２を連結すると、湾曲部４８を有する架橋部材４９と入隅９の間には、空間部５１が形成され、壁面８に密着して固定された手摺り部材１２の凹状湾曲面２５と、壁面１０に密着して固定された手摺り部材１２の凹状湾曲面２５は、空間部５１で終端する。これにより、凹状湾曲面２５に堆積した塵埃を空間部４７から廃棄することができる。出隅７において手摺り部材１２、１２を連結するには、架橋部材４９の湾曲部４８に対して、逆方向に湾曲した湾曲部を有する架橋部材を使用する。
【００２７】
図１のＶで示される箇所には、壁面３に密着して固定された二つの手摺り部材１２、１２を連結する構造が示されている。図１のＶで示される連結箇所を、図５に分解斜視図として示す。図５中、手摺り部材１２、１２は、図２乃至４の手摺り部材１２と同じものである。図５中、新規な構成要素は、二つの手摺り部材１２、１２の間に介装されるジョイントパッキン５２である。ジョイントパッキン５２はＰＶＣで形成され、一つの貫通孔５３と、種々の形状を有する複数の係合凸部５４とを有する。これらの係合凸部５４は、ジョイントパッキン５２の両側面に対称に形成されている。ジョイントパッキン５２の貫通孔５３には、ＰＶＣ製のジョイント片５５が挿入される。ジョイント片５５の表面には複数の係止突条５６が形成されている。二つの手摺り部材１２、１２を連結するには、ジョイントパッキン５２の貫通孔５３に挿入されたジョイント片５５を、連結される二つの手摺り部材１２、１２の空洞部３１、３１に挿入すると共に、ジョイントパッキン５２の両側面に形成された複数の係合凸部５４を、手摺り部材１２、１２の対応する空洞部１９、２０、３２乃至３４に挿入する。手摺り部材１２、１２の空洞部３１、３１に挿入されたジョイント片５５は、空洞部３１、３１の内面に係止突条５６を圧着させて固定される。また、複数の係合凸部５４は、対応する空洞部１９、２０、３２乃至３４の内面と係合して、ジョイントパッキン５２の位置決めを行う。ここで、ジョイントパッキン５２は、ジョイントパッキン５２の外周部５２ａの肉厚がジョイントパッキン５２の内方部５２ｂの肉厚よりも大きく形成されている。これにより、手摺り部材１２、１２をジョイントパッキン５２を介して連結したとき、ジョイントパッキン５２が手摺り部材１２、１２の間で押圧されて変形し、ジョイントパッキン５２の外周部５２ａが拡開し、手摺り部材１２の端部４１を十分に覆うことができる。したがって、手摺り部材１２の端部４１の形状に寸法誤差があっても、この寸法誤差はジョイントパッキン５２の変形によって吸収される。ジョイントパッキン５２の肉厚は、その外周部５２ａから内方部５２ｂに向かって除々に減少するテーパ状に形成することもできる。図１のＶによって示される手摺り部材１２、１２の連結部は、図５に示すように、ジョイントパッキン５２を介して、堅固に連結される。これにより、一方の手摺り部材１２の手摺り本体１４に形成された把持部２３と、他方の手摺り部材１２の手摺り本体１４に形成された把持部２３とが、滑らかに連続するのみでなく、一方の手摺り部材１２の凹状湾曲面２５と、他方の手摺り部材１２の凹状湾曲面２５とは、ジョイントパッキン５２の外周部５２ａに形成された凹状湾曲面５２ｃを介して滑らかに連続する。したがって、ジョイントパッキン５２を介して手摺り部材１２同士を連結したときには、手摺り部材１２の非連続部、すなわち、架橋部材３５、４９の下方に形成された空間部４７、５１に相当する空間部は形成されない。
【符号の説明】
【００２８】
１    連続手摺り
３、８、１０    壁面
６    窓
７    出隅
９    入隅
１２  手摺り部材
１３  ブラケット
１４  手摺り本体
２３  把持部
２４  巻回部
２５  凹状湾曲面
３５  架橋部材
４７  空間部
４０、５０  ジョイント部材
４９  湾曲部を有する架橋部材
５１  空間部
５２  ジョイントパッキン
【図１】
0005274319.tif 000002
【図２】
0005274319.tif 000003
【図３】
0005274319.tif 000004
【図４】
0005274319.tif 000005
【図５】
0005274319.tif 000006